(57)【要約】【課題】焦点調整領域などの光学的調整領域との関係において、光学的調整機能を行わせるために指などにより操作する操作領域の操作をより容易にするための技術を提供する。【解決手段】撮像装置１は、被写体像の情報を取得する撮像部３と、被写体像の情報を表示する表示部８と、指などによる指示の検知に応じて表示部８における特定領域の状態を変化させる変化手段９と、制御部１１を有する。制御部１１は、表示部８における被写体像の態様に応じて、変化手段９により状態が変化させられる特定領域の配置を制御し、表示部８に、指などによる特定領域への操作に基づき光学的調整が行われる被写体像の対象領域と特定領域とを関連付ける表示を行わせる。【選択図】  図１
2019097082.tif 000002
【特許請求の範囲】
【請求項１】
撮像光学系により結像された被写体像の情報を取得する撮像部と、
前記被写体像の情報を表示する表示部と、
操作部位による指示の検知に応じて、前記表示部における特定領域の状態を変化させる変化手段と、
前記表示部における前記被写体像の態様に応じて、前記変化手段により状態が変化させられる前記特定領域の配置を制御し、前記表示部に、操作部位による前記特定領域への操作に基づき光学的調整が行われる前記被写体像の対象領域と前記特定領域とを関連付ける表示を行わせる制御部と、
を有することを特徴とする撮像装置。
【請求項２】
前記制御部は、前記被写体像の対象領域の主被写体像を検出することで前記被写体像の態様を取得する主被写体検出手段を含むことを特徴とする請求項１に記載の撮像装置。
【請求項３】
前記主被写体検出手段は、前記主被写体像として顔の領域を検出することを特徴とする請求項２に記載の撮像装置。
【請求項４】
前記主被写体検出手段は、前記主被写体像として、前記表示部に表示された範囲内で至近距離の領域を検出することを特徴とする請求項２に記載の撮像装置。
【請求項５】
前記制御部は、前記主被写体像の位置が移動することに応じて、前記関連付ける表示を移動させることを特徴とする請求項２から４のいずれか一項に記載の撮像装置。
【請求項６】
前記制御部は、前記主被写体像を含む切り出し画像データを前記特定領域に表示することで前記関連付ける表示を行うことを特徴とする請求項２から５のいずれか一項に記載の撮像装置。
【請求項７】
前記制御部は、前記被写体像の対象領域の主被写体像の焦点評価値を算出する焦点評価値算出手段を有し、前記焦点評価値に応じて、各対象領域と関連する前記特定領域の変化量を制御することを特徴とする請求項２から６のいずれか一項に記載の撮像装置。
【請求項８】
前記表示部の前面に設けられたタッチパネルと、前記タッチパネルが操作部位により押されることを検出するタッチ検出手段と、を有し、
前記タッチ検出手段による検出に応じて、前記変化手段は、前記表示部における特定領域の状態を変化させることを特徴とする請求項２から７のいずれか一項に記載の撮像装置。
【請求項９】
前記変化手段は、前記特定領域を変化させて凸面を形成する透明又は半透明の部分を含み、前記タッチパネルに並行して設けられていることを特徴とする請求項８に記載の撮像装置。
【請求項１０】
操作部位が主電源をオンにしたとき、または外装面に配設されたレリーズボタンを半押ししたとき、または操作部位がタッチパネルを触ったとき、前記主被写体検出手段が主被写体像を検出することを特徴とする請求項８または９に記載の撮像装置。
【請求項１１】
前記制御部は、操作部位が押下した前記特定領域の変化状態に応じて自動焦点調整動作とシャッター動作をそれぞれ行うことを特徴とする請求項１から１０のいずれか一項に記載の撮像装置。
【請求項１２】
前記光学的調整は、自動焦点調整、自動露光調整、オートホワイトバランス動作の内の、少なくとも１つであることを特徴とする請求項１から１１のいずれか一項に記載の撮像装置。
【請求項１３】
前記特定領域とは別に前記変化手段により前記表示部に形成される凸面であって、操作部位の押下による変化状態に応じて自動焦点調整動作とシャッター動作をそれぞれ行う凸面を有することを特徴とする請求項１から１２のいずれか一項に記載の撮像装置。
【請求項１４】
前記制御部は、前記変化手段により変化された前記特定領域を操作部位により押下してシャッター動作を行った後、前記特定領域の変化を形成する為の作用力を変化させることを特徴とする請求項１から１３のいずれか一項に記載の撮像装置。
【請求項１５】
撮像光学系により結像された被写体像の情報を取得する撮像部により取得された被写体像の情報を表示する表示部と、
操作部位による指示の検知に応じて、前記表示部における特定領域の状態を変化させる変化手段と、
前記表示部における前記被写体像の態様に応じて、前記変化手段により状態が変化させられる前記特定領域の配置を制御し、前記表示部に、操作部位による前記特定領域への操作に基づき光学的調整が行われる前記被写体像の対象領域と前記特定領域とを関連付ける表示を行わせる制御部と、
を有することを特徴とする表示装置。 
【請求項１６】
前記制御部は、前記被写体像の対象領域の主被写体像を検出することで前記被写体像の態様を取得する主被写体検出手段を含むことを特徴とする請求項１５に記載の表示装置。
【発明の詳細な説明】
【技術分野】
【０００１】
本発明は、被写体を撮像する撮像部からの被写体像の情報を表示する表示部を有する撮像装置、及び表示装置に関する。
【背景技術】
【０００２】
従来、タブレットやデジタルカメラ等の撮像装置は、ＡＦ（自動焦点調整）機能やタッチ検出機能が搭載されているものがある。ＡＦ機能は、被写体に対して自動的に合焦させる機能であり、コントラストＡＦや位相差ＡＦにより、指定された領域の被写体距離に応じて、合焦するための撮影レンズの駆動を行う。タッチ検出機能では、例えば、タッチパネル上でＡＦ対象となる被写体を選択してＡＦ動作を行った後に、再度、タッチパネル上の任意の位置を選択することでシャッターレリーズ動作を行うことが可能である。
【０００３】
特許文献１には、デジタルカメラに抵抗膜式タッチパネルを設け、タッチした１点目位置でＡＦおよび露出制御動作の領域を指定し、２点目位置でシャッターレリーズ動作を行うデジタルカメラが開示されている。また特許文献２には、タッチパネル上に表示された被写体に１点目のタッチをするとＡＦおよびＡＥ（自動露出調整）動作を行い、続けてタッチパネル上でダブルクリックするとシャッターレリーズ動作を行うタッチパネル操作式カメラが開示されている。
【先行技術文献】
【特許文献】
【０００４】
【特許文献１】特開２００９−１０７７７号公報
【特許文献２】特開平１１−１３６５６８号公報
【発明の概要】
【発明が解決しようとする課題】
【０００５】
しかしながら、上述の技術では、画像表示部上の焦点調整領域などの光学的調整領域と、この光学的調整機能を行わせるために指などの操作部位により操作する操作領域と、の関連が明瞭に示されているとは言い難かった。
【課題を解決するための手段】
【０００６】
上記課題に鑑み、本発明の一側面による撮像装置は、撮像光学系により結像された被写体像の情報を取得する撮像部と、前記被写体像の情報を表示する表示部と、操作部位による指示の検知に応じて、前記表示部における特定領域の状態を変化させる変化手段と、前記表示部における前記被写体像の態様に応じて、前記変化手段により状態が変化させられる前記特定領域の配置を制御し、前記表示部に、操作部位による前記特定領域への操作に基づき光学的調整が行われる前記被写体像の対象領域と前記特定領域とを関連付ける表示を行わせる制御部と、を有する。
【発明の効果】
【０００７】
本発明の一側面によれば、光学的調整領域（前記対象領域）と、該領域での光学的調整機能を行わせるために指などの操作部位により操作する操作領域（前記特定領域）と、の関連を示す表示が表示部で行われるので操作領域の操作がより容易になる。
【図面の簡単な説明】
【０００８】
【図１】本発明の実施例１における撮像装置のシステム構成図。
【図２】実施例１における撮像装置の背面及び側面を示す外観図。
【図３】実施例１におけるシステム制御部の処理フローを示すフローチャート。
【図４−１】実施例１における特定領域の割当方法１、２を示す図。
【図４−２】実施例１におけるガイド表示及び変位デバイスの変形時を示す図。
【図５】実施例１における変位デバイスの半押し状態と全押し状態を示す図。
【図６】実施例１における変位デバイス近傍に文字情報等を表示した際の状態を示す図。
【図７】本発明の実施例２における撮像装置のシステム構成図。
【図８】実施例２における撮像装置の背面の外観及び変位デバイスの変化状態を示す図。
【図９】本発明の実施例３における撮像装置のシステム構成図。
【図１０】実施例３におけるガイド表示を示す図。
【図１１】実施例３におけるシステム制御部の処理フローを示すフローチャート。
【図１２】実施例における、変位デバイスへの作用力Ｆを示す図。
【図１３】実施例において至近距離の領域を合焦ターゲットとしたことを示す図。
【発明を実施するための形態】
【０００９】
本発明の一側面によれば、撮像部により取得された被写体像の情報の表示部において、次のような表示を行う。すなわち、指などの操作部位による指示（これは後述するように種々であり得る）の検知に応じて表示部の１以上の特定領域の状態を変化させる際に、表示部の被写体像の態様（主被写体である顔の対象領域を含む等の態様）に応じて、特定領域の配置を制御する。そして、特定領域への操作に基づき光学的調整が行われる被写体像の対象領域と特定領域とを関連付ける表示を行う。関連付ける表示も、後述するように種々であり得る。本発明は、こうした表示を行う表示部を含む表示装置として構成することもできるし、撮像部と表示部を含む撮像装置として構成することもできる。
【００１０】
以下、本発明の好ましい実施の形態を、添付の図面に基づいて詳細に説明する。
（実施例１）
図１乃至図６を参照して、本発明の実施例１について説明する。まず図１に示す、本発明が適用された撮像装置１のシステム構成について説明する。撮像装置１の背面の外観を図２（ａ）に示し、側面の外観を図２（ｂ）に示す。
【００１１】
図１に示すように、撮像装置１は、レンズ部２、撮像素子３、Ａ／Ｄ変換回路４、画像処理部５、固定スイッチ（固定ＳＷ）６、記録媒体７、画像表示部８、変位デバイス（変化手段）９、タッチ検出手段１０、全体の制御を司るシステム制御部１１を含む。レンズ部２は、ズーム倍率を変化させるズーム群と、撮像素子３に被写体像の焦点を合わせるためのフォーカス群と、絞り機構等を含み、これら構成部品は、後述するシステム制御部１１の指令信号に基づき駆動する。
【００１２】
撮像素子３は、ＣＣＤ又はＣＭＯＳ等であり、ここにレンズ部２を透過した被写体像が結像し、被写体像は画像信号に光電変換される。Ａ／Ｄ変換回路４は、撮像素子３によって光電変換されたアナログ画像信号をデジタル画像信号に変換する。
【００１３】
画像処理部５は、撮像装置１が撮影状態に設定されているとき、撮像素子３から画像情報を繰り返し取得し、デジタル画像信号の色や階調等を整え、生成した表示用画像データを画像表示部８に出力する。これにより画像表示部８にスルー画が表示される。また画像処理部５は、システム制御部１１の指令に基づき、メニュー画像や、後述する図４−２（ｂ）に示すガイド表示の案内線８ｄ、８ｅ、８ｆ等をスルー画に重畳表示する。ガイド表示は、表示部８の被写体像（スルー画）の態様に応じて配置される特定領域と、操作部位（指など）による特定領域への操作に基づき光学的調整（ここではフォーカス調整）が行われる被写体像の対象領域と、を関連付ける。図４−２（ｂ）では、特定領域１０ａ、１０ｃ、１０ｅと対象領域８ａ、８ｂ、８ｃとの関連付けが、それぞれ、案内線８ｄ、８ｅ、８ｆで表示されている。
【００１４】
また画像処理部５は、公知の山登りのコントラストＡＦや、距離を測定するラインセンサ（不図示）を有した位相差ＡＦにより、被写体に対する合焦位置を算出する。その算出結果はシステム制御部１１へ送信され、これに基づきシステム制御部１１はフォーカス群を駆動することにより合焦動作を行う。
【００１５】
固定スイッチ６は、レリーズ動作を指令する外装面に設けたレリーズスイッチ６ａと、撮像装置１の主電源をオンオフする電源スイッチ６ｂと、撮影モード（全自動、風景、クローズアップ等）の変更や撮像装置１の設定値を変更するメニュースイッチ６ｃを含む。レリーズスイッチ６ａは、半押し状態と全押し状態が判別可能な２段スイッチである。レリーズスイッチ６ａが半押し状態になると、システム制御部１１は、合焦するためのＡＦ動作の指令信号をレンズ部２に送信し、更に続けて、全押し状態になると、シャッター動作を行い、撮像素子３に結像された被写体像を撮像する。
【００１６】
記録媒体７は、メモリーカードやＤＶＤのディスク等の半導体メモリ、その他のリムーバブルな記録装置であり、撮像装置１に着脱自在である。また記録媒体７は、撮像装置１に内蔵されたフラッシュメモリ等の不揮発性メモリでもあり、撮像装置１の設定情報等を記憶し、書換え可能で、主電源をオフにしてもデータは消えない。
【００１７】
画像表示部８は、撮像装置１の背面に配設された液晶ディスプレイ（ＬＣＤ）等であり、ユーザが所定の操作を行うと、記録媒体７に記憶されている画像や、撮像装置１の設定メニューや、スルー画を表示する。所定の操作は、撮像装置の主電源をオンにすること、レリーズボタンを半押しすること、操作部位でタッチパネルを触ることなどである。
【００１８】
変位デバイスないし変化手段９およびタッチ検出手段１０について説明する。変位デバイス９とタッチ検出手段１０は、公知の構成を用いることができる。タッチ検出手段１０として、例えば、静電容量式のタッチセンサがある。変位デバイス９として、流動体を保持し、少なくとも２つの体積状態（収縮した体積状態と拡張した体積状態）を有するように機能する空洞部を用いることができる。拡張した体積状態では、空洞部は表面の平面を超えて拡張し、表面の特定領域の形状を変化変形（変形）させる。流動体は、液体（例えば水、グリセリン）、気体（例えば空気）、他の物質（例えばゲル）である。変位デバイスは、表示面の特定領域の色などを変化させる変化手段に置き替えられてもよい。
【００１９】
表示部８は、画像を表示するための液晶方式や有機ＥＬ方式などの表示パネルと指等を近接検知および接触検知可能な静電容量式センサを重畳している。静電容量式センサは、例えば、絶縁体フィルムとその下に格子状に配した電極層を有し、導電性である指やペンなどが近づくと電極層から指等へと静電誘導が発生し、間にある絶縁体フィルムの静電容量が変化する。そして、システム制御部１１に内包された近接・接触判定手段が、静電容量の変化を電極層の電位差から読み取ることで指等の位置を検出することができる。また、表示部８に指等が近接している状態では、接触している状態に比べて、誘電率の低い空気層を挟むために静電容量の変化が少ない。従って、静電容量の変化量に対して閾値を設定することで、前記近接・接触判定手段は近接状態と接触状態とを判別することができる。タッチセンサは、静電容量式のほかに光の反射や明暗を検知する光方式などでもよく、近接検知可能な方法であればよい。
【００２０】
本実施例では、変位デバイス９とタッチ検出手段１０は、透明又は半透明の材質であり、いずれも画像表示部８の表示面８ａを覆うように略平行ないし並行して配設される。画像表示部８の前面には変位デバイス９が任意の位置に配設されて、変位デバイス９の前面にはタッチ検出手段１０が配設される。変位デバイス９は、システム制御部１１の指令に基づき、上述したように内部の空洞部が拡張し、図２に示すように、表面の特定領域が変形する。このことで、タッチ検出手段１０の柔軟なシートが変形して、タッチ検出手段１０上に、凸面１０ａ、１０ｃ、１０ｅを形成する。
【００２１】
変位デバイス９は、各特定領域に対して複数の空洞部を有しており、システム制御部１１の各特定領域に対する指令信号に基づき、各特定領域が変形する。後述の説明においては、図２（ａ）に示すように、変位デバイス９の特定領域が、５箇所の１０ａ、１０ｂ、１０ｃ、１０ｄ、１０ｅに設けられる。ここでは、特定領域１０ａ、１０ｃ、１０ｅの丸枠の実線表示は凸面を形成した状態を示し、特定領域１０ｂ、１０ｄの丸枠の破線表示は、凸面を形成していないフラットな状態を示す。
【００２２】
変位デバイス９は、特定領域の変位量を検出するセンサが内蔵されており、その検出値をシステム制御部１１へ送信する。変位デバイス９は、指先等で外力を作用させると変位し、その変位量に応じてＡＦ動作を行う指令信号やシャッター動作を行う指令信号をシステム制御部２０へ送信する。
【００２３】
タッチ検出手段１０は、任意の位置に指が触れる等して押下されると、タッチした位置の座標が検出され、この座標情報がシステム制御部１１に送信され、システム制御部１１は所定の処理を実行する。システム制御部１１は、その座標情報により、画像表示部８に表示された各種機能の内、何が選択されたかを判断し、選択に応じた機能を動作させることができる。タッチ検出手段１０の材質は、上述したように弾性的な柔軟なシートであり、変位デバイス９の特定領域が変形して凸面を形成するに従い、シートも変形して凸面を形成する。同じく上述したようにタッチ検出手段１０は、変位デバイス９を介して画像表示部８に重ねて配設され、タッチ検出手段１０のパネル上の位置と画像表示部８の表示画面上の位置は一対一に対応する。
【００２４】
なお、画像表示部８と変位デバイス９とタッチ検出手段１０は、単一構造として一体化しても良い。
【００２５】
システム制御部１１は、システム全体を制御し、ＣＰＵ、メモリ（ＲＯＭ、ＲＡＭ）の機能を備える。システム制御部１１は、タッチ検出手段１０や固定スイッチ６からの入力信号に応じて、メモリに記憶されたプログラムを実行して、撮像装置１を構成する各部を制御し、所定の処理を行う。
【００２６】
システム制御部１１は、ユーザがレリーズスイッチ６ａ又は変位デバイス９により、シャッター動作を選択したとき、撮像素子３から入力された画像信号に基づいて所定の画像形式、例えばＪＰＥＧ形式の画像データを記録媒体７に記憶する。またシステム制御部１１は、生成した画像データに基づいて、表示用データを生成し、画像表示部８に表示する。
【００２７】
本実施例では、システム制御部１１は、主被写体像を検出する主被写体検出手段１１ａを備える。主被写体検出手段１１aは、主被写体を検出したとき、画像表示部８上における主被写体の座標情報を取得する。主被写体の検出手法として、平均的な主被写体の画像をテンプレートで予め用意しておき、撮像画像とテンプレートのマッチングを行う等、公知の手法を採用することが可能である。それ自体の技術が本発明に直接関わるのではないので、ここでは詳細な説明を省略する。
【００２８】
主被写体検出手段１１ａは、メニュースイッチ６ｃで指示された撮影モードに応じて、検出対象とする被写体の種類を変更する。例えば、全自動モードやポートレートモードの検出対象は顔画像であり、クローズアップモードの検出対象は花や小物の画像である。主被写体検出手段１１ａが、主被写体を検出するトリガーは、電源スイッチ６ｂをオンにした撮影状態のときや、レリーズスイッチ６ａを半押ししたときや、タッチ検出手段１０を指でタッチしたときである。
【００２９】
またシステム制御部１１は、ガイド表示手段１１ｃを備える。ガイド表示手段１１ｃは、図４−２（ｂ）に示すよう、主被写体検出手段１１ａが主被写体と検出した合焦ターゲット（対象領域）８ａ、８ｂ、８ｃと、変位デバイス９により凸面が形成可能な特定領域１０ａ、１０ｃ、１０ｅとの、関連性を示すガイド表示方法を取得する。次に、ガイド表示手段１１ｃは、スルー画とガイド表示８ｄ、８ｅ、８ｆとを重畳する指令信号を画像処理部５に送信する。
【００３０】
次に、図３を参照して、システム制御部１１の処理フローについて説明する。Ｓ１０１は、処理フローの開始であり、電源スイッチをオンにして撮影状態になったとき、またはレリーズスイッチ６ａを半押しにしたとき、またはタッチ検出手段１０を指でタッチしたとき、等である。
【００３１】
次に、Ｓ１０２へ移行する。Ｓ１０２では、設定された撮影モードを読み込み、撮影モードに応じた主被写体の画像のテンプレートをメモリから読出す。なお、図３における処理フローでは、撮影モードはポートレートモード（顔画像）に設定されている。
【００３２】
Ｓ１０３へ移行する。Ｓ１０３では、画像処理部５の算出によって得られた被写体画像の中心付近または被写体画像の複数の位置について、位相差ＡＦ処理またはコントラストＡＦ処理を行う。主被写体検出手段１１ａは、ＡＦ処理によって合焦した被写体画像全体から、顔画像を合焦ターゲットとして検出する。合焦ターゲットは複数検出することが可能である。複数の合焦ターゲットを検出した場合、合焦ターゲットの順位付けは、合焦ターゲットが被写体画像に占める割合や、被写体画像の中心座標からの距離などによる方法を用いることができる。本フローでは、図４−１（ａ）に示す顔画像８ａ、８ｂ、８ｃを合焦ターゲットとして検出したとする。次に、Ｓ１０４へ移行する。Ｓ１０４では、合焦ターゲットを検出しなかった場合、Ｓ１０３へ移行して合焦ターゲットの検出を繰り返す。合焦ターゲットを少なくとも１つ以上検出した場合は、Ｓ１０５へ移行する。
【００３３】
Ｓ１０５では、座標算出部１１ｂより、画像表示部８上における、各画素に対応した合焦ターゲットの座標情報を取得してメモリに記憶する。この座標情報は、被写体画像上に合焦ターゲットが抽出された全範囲の座標や、合焦ターゲットが抽出された範囲の重心位置の座標や、合焦ターゲットの目や鼻の座標、等とする。本フローでは図４−１（ａ）に示す合焦ターゲット８ａ、８ｂ、８ｃの座標情報を取得したとする。Ｓ１０６へ移行する。
【００３４】
Ｓ１０６では、座標算出部１１ｂより、検出した合焦ターゲット８ａ、８ｂ、８ｃに対応する変位デバイス９の特定領域の割当てを算出する。特定領域の割当方法は、１つ以上あり、その内、２例について示す。
【００３５】
割当方法（１）
合焦ターゲットと特定領域の距離に応じて割当てする。座標算出部１１ｂは、合焦ターゲット８ａ、８ｂ、８ｃの座標と特定領域１０ａ、１０ｂ、１０ｃ、１０ｄ、１０ｅの座標との間の、各々の距離を算出し、次に合焦ターゲットから最短距離にある、変位デバイス９の特定領域を算出する。本フローでは、図４−１（ａ）に示すように、合焦ターゲット８ａは特定領域１０ａが最短距離、合焦ターゲット８ｂは特定領域１０ｃが最短距離、合焦ターゲット８ｃは特定領域１０ｅが最短距離である、と算出され、その組合せをメモリに記憶する。
【００３６】
割当方法（２）
画面中央部の特定領域から優先的に割当てする。特定領域の割当の優先順位を、１０ｃ＞１０ｂ＝１０ｄ＞１０ａ＝１０ｅとする。そして、図４−１（ｂ）に示すよう、特定領域１０ｃは合焦ターゲット８ｂ、特定領域１０ｂは合焦ターゲット８ａ、特定領域１０ｄは合焦ターゲット８ｃを選択し、その組合せをメモリに記憶する。このとき、特定領域１０ｃの優先順位が最も高いことより、合焦ターゲット８ａ、８ｂ、８ｃのいずれも選択可能であるが、合焦ターゲットの数や、合焦ターゲットと特定領域との距離に応じて、最適な組合せを選択する。
【００３７】
Ｓ１０７以降は、割当方法（１）を算出したとして説明する。Ｓ１０７へ移行する。Ｓ１０７では、ガイド表示手段１１ｃより、Ｓ１０６で記憶された合焦ターゲットと特定領域との間を関連付ける表示方法や表示位置を算出する。次に、Ｓ１０８へ移行する。
【００３８】
Ｓ１０８では、ガイド表示手段１１ｃより、Ｓ１０７で算出された表示方法や表示位置について画像処理部５に指令信号を送信し、図４−２（ａ）に示すよう案内線８ｄ、８ｅ、８ｆをスルー画に重畳表示する。このとき、案内線の表示色を案内線８ｄは赤色、案内線８ｅは青色、案内線８ｆは黄色、等と個別に変えてもよい。あるいは案内線の表示方法を、案内線８ｄは実線、案内線８ｅは一点鎖線、案内線８ｆは二点鎖線、等と個別に変えてもよい。あるいは、案内線の表示方法を、案内線８ｄは太線、案内線８ｅは中線、案内線８ｆは細線、等と個別に変えてもよい。Ｓ１０９へ移行する。
【００３９】
Ｓ１０９では、Ｓ１０６でメモリに記憶された変位デバイス９の特定領域１０ａ、１０ｃ、１０ｅに対して、変形して凸面を形成するよう指令信号を送信する。これにより図４−２（ｂ）に示すように、特定領域１０ａ、１０ｃ、１０ｅに凸面が形成される。このとき、凸面の高さなどの変形量は、変位デバイス９の最大変形量でもよいし、任意の変形量でもよい。
【００４０】
次に、変位デバイス９が凸面を形成すると、その凸面近傍のタッチ検出手段１０の領域に対して、レリーズスイッチ６ａが有する半押し機能（ＡＦ動作）と全押し機能（シャッター動作）を付加する。また、タッチ検出手段１０へのタッチと変位デバイス９の変形量との組み合わせに応じて、半押し機能または全押し機能を種々に設定することが可能とする。
【００４１】
図５を参照して、その種々の設定の内の２パターン（ケース１、ケース２）について説明する。
ケース１では、タッチ検出手段１０へのタッチを検出して、変位デバイス９の変位量（凸部の高さαｍｍ）が変化しないときは、半押し状態とする。次にタッチ検出手段１０へのタッチを検出して、変位デバイス９の変位量（凸部の高さ（α-β）ｍｍ）となったとき、全押し状態とする。
【００４２】
ケース２では、タッチ検出手段１０へのタッチを検出して、変位デバイス９の変位量（αｍｍ）が変化しないときは、無検出の状態とする。またタッチ検出手段１０へのタッチを検出して、変位デバイス９の変位量（凸部の高さ（α-β）ｍｍ）となったとき、半押し状態とする。更に、タッチ検出手段１０へのタッチを検出して、変位デバイス９の変位量（凸部の高さ（α-β-γ）ｍｍ）となったとき、全押し状態とする。なお、ケース１とケース２で説明した変位デバイス９の変位量ではなくて、圧力や撓み量等を検出するセンサの値に応じて、半押し機能と全押し機能を付加してもよい。
【００４３】
次に、Ｓ１１０へ移行する。Ｓ１１０では、ユーザの操作によりレリーズスイッチ６ａ又は変位デバイス９が、任意の時間以上、半押し状態になっているかを判定する。任意の時間以上、半押し状態であれば、Ｓ１１１へ移行する。任意の時間未満、半押し状態であった場合は、Ｓ１１４へ移行する。
【００４４】
Ｓ１１１では、半押し状態を示す入力信号が変位デバイス９によるものか、レリーズスイッチ６ａによるものか、を判定する。変位デバイス９の場合、Ｓ１１２へ移行する。レリーズスイッチ６ａの場合、Ｓ１１３へ移行する。Ｓ１１２では、ユーザがタッチした変位デバイス９の合焦ターゲットに対して、スポットＡＦを実行する。Ｓ１１４へ移行する。
【００４５】
Ｓ１１３では、撮像装置１に設定されていた、画像全体を基準に合焦するマルチＡＦ、または画像中央付近の被写体に合焦する中央重点ＡＦ、またはスポットＡＦ等を実行する。そして、Ｓ１１４へ移行する。なお、Ｓ１１２とＳ１１３では自動焦点調整動作（ＡＦ）のみを行ったが、同時に画像の明るさが適正になるよう自動露光調整（ＡＥ）動作を行ったり、画像が適正な色バランスになるようオートホワイトバランス動作（ＡＷＢ）を行ったりしてもよい。
【００４６】
Ｓ１１４では、ユーザの操作により、レリーズスイッチ６ａ又は変位デバイス９が、全押し状態になっているかを判定する。全押し状態でなければＳ１１０へ移行する。全押し状態であればＳ１１５へ移行する。Ｓ１１５では、シャッター動作を行い、撮像素子３により得られた画像信号に各種画像処理を施したあと、画像データを記録媒体７に記憶して、一連の処理を終了する。
【００４７】
なお、上述した実施例１の形態では、図４−２（ｂ）に示すように、変位デバイス９が凸面を形成したとき、変位デバイス９近傍の画像表示部８はスルー画を表示していた。しかし、異なる形態として、図６に示すように、変位デバイス９近傍の画像表示部８に文字等８Ｌ、８ｍを表示してもよい。又は、記憶媒体７に顔等の登録画像を記憶しておき、合焦ターゲットの特徴点が登録画像と一致したとき、その登録画像８ｎを変位デバイス９近傍の画像表示部８に表示してもよい。
【００４８】
本実施例の撮像装置は、上述したように、撮像光学系により結像された被写体像の情報を取得する撮像部と、被写体像の情報を表示する表示部と、操作部位による指示を検知する検知手段を有する。また、検知手段による指示検知に応じて表示部における特定領域の状態を変化させる変化手段と、制御部を有する。制御部は、表示部における被写体像の態様に応じて、前記特定領域の配置を制御し、表示部に、光学的調整が行われる被写体像の対象領域と特定領域とを関連付ける表示を行わせる。
【００４９】
実施例１は次の効果を奏することができる。
（１）対象領域である合焦ターゲットと特定領域である変位デバイス９との関連性をガイド表示で示すことで、ＡＦ動作とシャッター動作が可能なシャッターボタン（変位デバイス９）を、画像表示部８に配置することができる。これにより、特に複数の合焦ターゲットを検出したとき、複数のシャッターボタンから選択することができ、ユーザによる操作性が向上する。
（２）タッチ検出手段１０の最小のタッチ回数でＡＦ動作とレリーズ動作を行うことで操作性が改善する。これにより、上述の特許文献１と特許文献２に記載の技術では、ＡＦ動作とレリーズ動作を行うためには、少なくとも２回以上のタッチ操作が必要であり、ユーザの操作が煩雑であるという点、を改善できる。
（３）レリーズ動作時に、変位デバイス９の凸面の反力とストローク量により、指先の触覚に作用する感覚を向上することができる。これにより、タッチパネルによるレリーズ動作では、公知であるメカニカルのボタンを有したレリーズスイッチと異なり、レリーズ動作時の指先の触覚に作用する刺激が少ないという点、を改善できる。
（４）変位デバイス９の凸部の変位量に応じて、ＡＦ動作とシャッター動作が可能となることにより、ユーザの意図しないレリーズ動作を軽減できる。これにより、タッチパネル近傍に複数の指が近接することより、ユーザが意図しない指の接触によりレリーズ動作を行う可能性があるという点、を改善できる。
【００５０】
（実施例２）
以下、図７から図８を参照して、本発明の実施例２について説明する。上述した実施例１と同じ部分は省略する。
【００５１】
図７における撮影装置１のシステム構成を説明する。焦点評価値算出手段２０ａは、システム制御部２０に記憶されたプログラムである。焦点評価値算出手段２０ａは、主被写体検出手段１１ａにより検出された主被写体の存在領域であるＡＦ評価エリアに対して、コントラスト法で各主被写体の焦点評価値のピークを検出するか、位相差ＡＦの測距センサで各主被写体の焦点評価値を算出する。
【００５２】
次にシステム制御部２０は、複数の主被写体が検出されたとき、合焦ターゲットの順位付けを、主被写体が画像に占める割合や、被写体画像の中心座標からの距離等により決定し、順位が最も高い主被写体に対して、フォーカス群を駆動して合焦する。さらに、システム制御部２０は、順位が最も高い主被写体の焦点評価値に応じて、変位デバイス９の変形量を算出し、変位デバイス９に変形の指令を送信して特定領域に凸面を形成する。順位が低い主被写体については、順位が最も高い主被写体の焦点評価値との差分量等に応じて、変位デバイス９の変形量を算出し、同じく変位デバイス９に変形の指令を送信して特定領域に凸面を形成する。図８（ａ）は、実施例２の制御を示す図である。合焦ターゲットの内、焦点評価値の高い順が、８ｂ＞８ｃ＞８ａであった場合は、特定領域の変形時の高さは、１０ｃ＞１０ｅ＞１０ａとなる。
【００５３】
実施例２の効果として、焦点評価値に応じて合焦ターゲットの凸部の高さが異なることより、ユーザはタッチ検出手段１０近傍を見た瞬間に、合焦度の信頼性を確認できる。これより、ユーザがシャッター動作を行うまでの時間を短縮することができる。
【００５４】
（実施例３）
図９から図１１を参照して、本発明の実施例３について説明する。上述した実施例１と同じ部分は省略する。
【００５５】
図９における撮影装置１のシステム構成を説明する。画像切り出し手段３０ａは、システム制御部３０に記憶されたプログラムである。画像切り出し手段３０ａは、画像処理部３２で生成した表示用画像データから、主被写体検出手段１１ａが主被写体と判断した画像領域（対象領域）の画像を切り出し、その画像を記録媒体３１に画像登録データ３１ａとして記憶する。
【００５６】
画像処理部３２は、システム制御部３０の指令により指定された画像登録データ３１ａを、スルー画と重畳し、画像表示部８に出力する。画像表示部８に出力された画像登録データ３１ａは、図１０に示す特定領域１０ｓ、１０ｔ、１０ｕ、１０ｖ、１０ｗのいずれか近傍の位置に表示する。本実施例では、これが関連を示す表示になるので、上述の実施例のように表示案内ラインの様なものは表示しない。
【００５７】
次に、図１１を参照して、システム制御部３０の処理フローについて説明するが、実施例１の処理フロー（図３）と同じ部分は省略する。省略箇所は、Ｓ１０１〜Ｓ１０４間と、Ｓ１１０〜Ｓ１１５間である。
【００５８】
Ｓ３０１では、Ｓ１０３で検出した合焦ターゲットの特徴点を示す画像情報を抽出する。その画像情報とは、主被写体を示す全範囲の画像でもよいし、顔の範囲の画像でもよい。本フローでは撮影モードがポートレートモードであることより、図１０に示すように顔の破線の範囲８ａ、８ｂ、８ｃを抽出する。また座標算出部１１ｂより、画像表示部８上における、合焦ターゲットの座標情報を取得してメモリに記憶する。
【００５９】
Ｓ３０２では、画像切り出し手段３０ａが、Ｓ３０１で抽出した画像情報８ａ、８ｂ、８ｃを切り出し、その画像情報を記録媒体３１に画像登録データ３１ａとして記憶する。
【００６０】
Ｓ３０３では、座標算出部１１ｂにより、検出した合焦ターゲット８ａ、８ｂ、８ｃに対応する変位デバイス９の特定領域の割当てを算出する。特定領域の割当方法は、実施例１のＳ１０６の記載内容と同じとする。本フローでは、合焦ターゲット８ａが特定領域１０ｓ、合焦ターゲット８ｂが特定領域１０ｕ、合焦ターゲット８ｃが特定領域１０ｗに割当てされる。Ｓ３０４では、ガイド表示手段１１ｃより、記憶された画像登録データ３１ａを読込み、Ｓ３０３で算出された特定領域の割当てに基づき、スルー画に重畳表示する。
【００６１】
Ｓ３０５では、Ｓ３０３でメモリに記憶された変位デバイス９の特定領域１０ｓ、１０ｕ、１０ｔに対して、変形して凸面を形成する指令信号を送信する。これにより図１０に示すよう、特定領域１０ｓ、１０ｕ、１０ｔに凸面が形成される。このとき、凸面の変形量は、変位デバイス９の最大変形量でもよいし、任意の変形量でもよい。
【００６２】
実施例３の効果として、実施例１に対して、案内線が不要な為、スルー画像の視認性が向上する。また、変位デバイス９近傍の画像表示部８に、合焦ターゲットが表示されていることより、ユーザは瞬時ないし迅速に合焦ターゲットの認識をすることができ、素早いシャッター動作を行うことを可能とする。
【００６３】
（その他の実施例）
上述した実施例では、図３に示すＳ１１０でＡＦ動作を行った後に、Ｓ１１４で全押しするか否かの判断へ移行した。異なる実施例として、Ｓ１１０でＡＦ動作を行った後、変位デバイス９の変形を形成する作用力Ｆ（図１２）を変化させて、振動を操作部位（指など）に作用後に、Ｓ１１４へ移行してもよい。
【００６４】
また同様にＳ１１４のシャッター動作を行い、画像データを記録媒体７に記憶した後に、変位デバイス９の変形を形成する作用力Ｆ（図１２）を変化させて、振動を作用後に、一連の処理を終了してもよい。その効果として、ユーザは指先の触覚を通じて、変位デバイス９を押下したときのＡＦ動作やレリーズ動作の実行を確認することができる。
【００６５】
また、上述した実施例では、外装面にレリーズスイッチ６ａを配設した。しかし、図６に示すように、レリーズスイッチ６ａを取除き、変位デバイス９の複数の変形領域の１つの領域が、撮像状態のときに常に凸面１０ｆを形成することで、レリーズスイッチ６ａの機能を代替してもよい。凸面１０fは、主被写体検出手段１１ａの算出結果による特定領域とは別に、常に凸面を形成し、凸面を押下することでＡＦ動作やＡＥ動作やＡＷＢ動作やシャッター動作を実行することが可能である。その効果として、外装面に配置されたレリーズスイッチ６ａを廃止してコストダウンが可能となるとともに、デザイン性の向上が可能となる。
【００６６】
なお、上述した実施例では、画像表示部８上で合焦ターゲットが変位したときのことは述べなかった。合焦ターゲットが変位した場合に対応する為、次のようにしてもよい。座標算出部１１ｂが数〜数十ｍｓ毎に合焦ターゲットの座標情報を取得する。次に、ガイド表示手段１１ｃは、その座標情報を元に、表示方法や表示位置を変更する指令信号を画像処理部に送信する。これにより、撮像装置１の手振れ、又は主被写体の移動等により、合焦ターゲットが画像表示部８上で変位しても、ガイド表示は合焦ターゲットに追従することが可能となる。
【００６７】
また、上述した実施例では、変位デバイス９の凸面を押下するとＡＦ動作やシャッター動作を行うことを示した。しかし、それらの機能に限らず、変位デバイス９により、ズーム操作を行うスイッチやメニュー操作を行うスイッチ等の凸面を形成して、その凸面を押下することで、それらの機能を実行してもよい。
【００６８】
また、上述した実施例では、検出した合焦ターゲット８ａ、８ｂ、８ｃに公知のＡＦ枠を表示することはしなかったが、図４−１、図４−２、図８（ａ）、図１０に示す８ａ、８ｂ、８ｃの破線部をＡＦ枠としてスルー画に重畳表示してもよい。
【００６９】
また、上述した実施例では、主被写体検出手段１１ａは顔画像を検出していたが、主被写体検出手段１１ａは、被写体との距離を閾値にして、合焦ターゲットを算出してもよい。例えば、主被写体検出手段１１ａは、不図示の測距センサにより撮影画像内の被写体との距離を測定し、撮影画像内で近距離ないし至近距離にある被写体を合焦ターゲットとして算出する。図１３は、本例を実施したときの形態である。この撮影画像には、遠距離である山や川の中に、近距離の人物が配置されており、近距離にある人物が合焦ターゲットして認識され、ガイド表示と、変位デバイスが凸面を形成している状態を示している。
【００７０】
また、上述した実施例では、本発明を上記構成の撮像装置１に適用した例を説明した。本発明は、上記構成の撮像装置１の他に、表示装置、カメラ、携帯電話、タブレット機器、ＰＤＡ、ゲーム機器、音楽プレーヤ、パーソナルコンピュータ等、タッチパネルや、タッチパネルや撮像レンズを含む装置などに適用可能である。
【００７１】
以上、本発明の好ましい実施の形態について説明したが、本発明はこれらの実施の形態に限定されず、その要旨の範囲内で種々の変形及び変更が可能である。
【符号の説明】
【００７２】
１      撮像装置
２      レンズ部（撮像光学系）
３      撮像素子（撮像部）
８      画像表示部（表示部）
９      変位デバイス（変化手段）
１１    システム制御部（制御部）
１１ａ  主被写体検出手段（制御部）
１１ｃ  ガイド表示手段（制御部）
【図１】
2019097082.tif 000003
【図２】
2019097082.tif 000004
【図３】
2019097082.tif 000005
【図４−１】
2019097082.tif 000006
【図４−２】
2019097082.tif 000007
【図５】
2019097082.tif 000008
【図６】
2019097082.tif 000009
【図７】
2019097082.tif 000010
【図８】
2019097082.tif 000011
【図９】
2019097082.tif 000012
【図１０】
2019097082.tif 000013
【図１１】
2019097082.tif 000014
【図１２】
2019097082.tif 000015
【図１３】
2019097082.tif 000016